(57)【要約】      （修正有）【課題】巻き紙用ホルダーの巻き紙表層部の端口を、切り取り後に一定の長さを常に剥離して送り出し、紙端口の掴み取りが容易にできる巻紙用ホルダーを提供する。【解決手段】巻き紙分離板は、本体に設けた巻き紙分離板定位置止めにより、巻き紙受け軸から一定の間隔を保つ位置に、巻き紙分離板取り付け回動軸を支点として可動可能に取り付けられ、本体から引き出された巻き紙の表層部を受けて、常に巻き紙本体から剥離するように構成される。上蓋が押し下げられたとき、巻き紙分離板の掴み代取り込み凹み部分に、上蓋裏の紙押し込み突起部が沿って入り込み、同時に上蓋先端のカット部が、巻き紙分離板を押圧し、上蓋を押し下げた手を離すことにより、これらを設けた上蓋を元の定位置に戻す揚力として、上蓋により圧迫された上蓋ささえ部と紙端掴み代取り込み凹みとを備えた巻き紙分離板を、弾力の付勢部材として形成する。【選択図】図１
2006263404.tif 000002
【特許請求の範囲】
【請求項１】
便所用などの紙ロールの巻き端と巻き本体との間に巻き紙の分離板を入れ、常に巻き端が巻き本体から離されている巻紙ホルダー。
【請求項２】
紙ロールの巻き端と巻き本体との間に入れた分離板の途中に凹みを付け、その凹みの上を引き出されている紙を凹み部分に沿ってはまる突起で押し込み、その先にある切り取り位置で必要長さの紙を切り取る請求項１の巻紙ホルダー。
【請求項３】
紙ロールの巻き端と巻き本体との間に入れた分離板の途中に凹みを付け、その凹みの上に引き出されている紙を、凹み部分に沿うようにはまる押さえ裏に付く突起で押し込まれ、その先にある切り取り位置で紙が切り取られた後、紙を押し込んだ突起がバネなどを利用した力で凹み部分から外れ、上蓋裏の突起部に付く蹴り出しによって凹みに入り込んだ分量の紙が凹み部分から繰り出て紙の切り取り位置より長く端が出る請求項１の巻紙ホルダー。
【請求項４】
巻紙を取り付け、または取り外すときに、巻き端と巻き本体との間に入れる分離板と凹み部分に押し込む突起のある押さえ板が、紙ロールの脱着が容易に出来るような位置に可動出来る請求項１の巻紙ホルダー。
【発明の詳細な説明】
【技術分野】
【０００１】  本発明は巻紙用ホルダーから必要長さの紙を切り取った後の、巻紙本体側の切り端を容易に掴むことが出来る巻紙用ホルダーに関するものである。
【背景技術】
【０００２】  従来、便所などにある排便後の拭き取り用として、必要な長さの紙を引き出し、蓋を押さえて切り取り使用する巻き紙用ホルダーがある。
【発明の開示】
【発明が解決しようとする課題】
【０００３】  巻き紙用ホルダーから必要長さの紙を引き出して上蓋を押さえて切り取り、再び紙を引き出そうとするとき、切り端が巻き本体に押し付けられて切られているため、巻紙の端口を掴み取ることに難しさがあった。
本発明は以上の問題点を解決し、従来と殆ど変わらぬ紙の切り取り操作と、楽に確実な掴み取りが出来るようになされたものである。
【課題を解決するための手段】
【０００４】  本発明は掴み取りの問題点を解決するため、次のような手段をこうじた。
（Ａ）巻き端と巻紙本体との間に分離用の板が入るようにした。
（Ｂ）必要長さの紙を引き出した後、上蓋を押さえて紙を切り取り、上蓋を押さえた手を離すと元の位置に上蓋が上がるようにした。
（Ｃ）分離用の板の途中に凹みを付けて紙を凹みに沿って押し込むような突起部分を上蓋裏につくり、上蓋を押さえて必要長さ分の切り取り後、紙の切り端が押し込まれた長さ分だけ多く取り込まれ、また突起部の手前側に蹴り出し用の当りを付け、押し込んだ紙の凹み部の手前側との隙間を無くすことにより、押さえた手を離すと押し込んだ紙が蹴り出され、切り取り位置より紙端が長く垂れ下がるようにした。
（Ｄ）巻き紙の分離用の板および凹みに押し込むための突起を巻紙の脱着が容易に出来るよう可動式にした。
本発明は以上よりなる巻き紙用ホルダーである。
【発明の効果】
【０００５】  本発明を使用するときに容易な掴み取りが出来るため、巻紙の切り口の掴み取りに不自由を感じていた人への抵抗感の払拭が出来る。また卓上用、料理用などのロールペーパーホルダーとしての普及拡大ができる。
【発明を実施するための最良の形態】
【０００６】以下、本発明の実施の形態を説明する。
紙ロール（２）の巻き紙端を引き出して、巻紙分離板（５）の上に掛けるよう本体に装着し、使用時は巻紙端を必要長さに引き出して上蓋（４）を押さえると上蓋裏にある紙押し込み突起部（１０）で紙が巻紙分離板（５）の途中にある凹み部に押し込まれ、その状態で上蓋先端のカット部（１１）と巻紙分離板（５）との間に挟まれて引き出されている紙を切り取る。
その後、上蓋（４）を押さえている手を離すと上蓋上げバネ（８）の力で紙押し込み突起部（１０）が凹みから離れ、同時に押し込まれた長さ分の紙が、突起部の蹴り出し（１２）により送り出され、その長さ分がカット位置から多く垂れ下がる。あるいは紙質などにより垂れ下がりにくい場合においても切り端口が巻紙分離板（５）で剥離されており、凹み部分に押し込まれた長さ分の紙の引き抵抗が軽減されているため、確実に容易な掴み取りの実施が出来る。
本発明は以上の構成よりなる。
【図面の簡単な説明】
【０００７】
【図１】本発明の要部の側面断面図
【図２】本発明の腰部の切り取り時の拡大の側面断面図
【符号の説明】
【０００８】（１）本体、（２）紙ロール、（３）紙ロール受け軸、（４）上蓋、（５）巻き紙分離板、（６）巻紙分離板取り付け軸、（７）巻紙分離板定位置止め、（８）上蓋上げバネ、（９）上蓋取り付け軸、（１０）紙押し込み突起部、（１１）カット部、（１２）蹴り出し
【図１】
2006263404.tif 000003
【図２】
2006263404.tif 000004
【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
巻き紙分離板（５）は、巻き紙分離板取り付け回動軸（６）を支点に、外向きに回動して開口し、ホルダー本体（１）の巻き紙受け（３）の中心から、一般的な巻き紙の最大巻き量分を確保した位置を半径として定置するように、巻き紙分離板定位置止め（７）を本体（１）に設け、また上蓋ささえ部（８）と途中に紙端掴み代取り込み凹み部（１３）とを備えて、常に巻き紙の表層部（１４）が、巻き紙本体から剥離されるように構成されたことを特徴とする、巻き紙ホルダー。
【請求項２】
上蓋（４）を押し下げることにより、巻き紙分離板定位置止め（７）で受け止められ、上蓋で圧迫される、上蓋ささえ部（８）と紙端掴み代取り込み凹み部（１３）とを備えた巻き紙分離板（５）の紙端掴み代取り込み凹み部（１３）に、上蓋裏に設けている紙押し込み突起部（１０）が、添うように入り込み、同時に、上蓋（４）の先端に位置するカット部（１１）が、巻き紙分離板（５）を押圧することを特徴とする、請求項１記載の巻き紙ホルダー。
【請求項３】
上蓋（４）を押し下げることにより、上蓋ささえ部（８）と紙端掴み代取り込み凹み部（１３）とを備えた巻き紙分離板（５）が圧迫され、押さえた手を離すことで、圧迫されて反発する弾力により付勢されて、上蓋先端に位置するカット部（１１）が、巻き紙分離板（５）を押圧した状態から開放されて離れ、同時に掴み代取り込み凹み部（１３）に沿って挿入されている紙押し込み突起部（１０）も、掴み代取り込み凹み部から上昇移動をして離脱し、その時、突起部前面に設けた蹴り出し部（１２）の先端と、掴み代取り込み凹み部（１３）が相対する内壁側は、微小な間隙を一部保ちながら離脱するように構成されたことを特徴とする、請求項１記載の巻き紙ホルダー。
【請求項４】
巻き紙分離板（５）は、巻き紙分離板取り付け回動軸（６）を支点にして可動可能に本体（１）に設け、巻き紙分離板定位置止め（７）が受け止める位置に定置し、また上蓋（４）は、上蓋取り付け軸（９）を支点にして可動が可能に本体（１）に設けて、巻き紙分離板（５）の上蓋ささえ部（８）が受け止める位置に定置しており、巻き紙の装着時には、巻き紙分離板（５）と、上蓋（４）とが、それぞれの取り付け回動軸（９）と（６）を支点に、外向きに回動して開口することを特長とする、請求項１記載の巻き紙ホルダー。
【手続補正２】
【補正対象書類名】明細書
【補正対象項目名】全文
【補正方法】変更
【補正の内容】
【発明の詳細な説明】
【技術分野】
【０００１】  本発明は、巻き紙用ホルダーから引き出され、上蓋を押さえて切り取られた巻き紙の切り端口の掴み代が、切り取り直後に切り取り部から繰り出されてくる、巻き紙用ホルダーに関するものである。
【背景技術】
【０００２】  従来から、巻き紙用として必要な長さの紙を、蓋を押さえて切り取って使用する巻き紙用ホルダーがある。しかしながら、それらの多くは構造的に単に紙の切り離し用としてのものや、巻き紙の脱着に関して工夫されたものなどである。
【発明の開示】
【発明が解決しようとする課題】
【０００３】  巻き紙用ホルダーから紙を引き出して、上蓋を押さえて切り取り、再び紙を引き出そうとするとき、切り端口が上蓋もしくは上カバーで、巻き紙本体に押し付けられて切り取られている。そのため、巻き紙を回動しながら端口を探して剥がすなどの、端口の掴み取りに不便さがあった。
本発明は、以上の問題を解決し、容易で確実な掴み取りができるようになされたものである。
【課題を解決するための手段】
【０００４】  本発明は、掴み取りの問題を解決するため、次のような手段を講じた。
（Ａ）巻き紙分離板は、本体に設けた巻き紙分離板定位置止めにより、巻き紙受け軸から一定の間隔を保つ位置に、巻き紙分離板取り付け回動軸を支点として可動可能に取り付けられ、巻き紙本体から引き出された巻き紙の表層部を受けて、常に巻き紙本体から剥離するように構成されたことを特徴とする。
（Ｂ）上蓋が押し下げられたとき、巻き紙分離板の掴み代取り込み凹み部分に、上蓋裏の紙押し込み突起部が沿って入り込み、同時に上蓋先端のカット部が、巻き紙分離板を押圧し、その後、上蓋を押し下げた手を離すことにより、これらを設けた上蓋を元の定位置に戻す揚力として、上蓋により圧迫された上蓋ささえ部と紙端掴み代取り込み凹みとを備えた巻き紙分離板を、弾力の付勢部材として形成したことを特徴とする。
（Ｃ）上蓋の押圧で、圧迫された上蓋ささえ部を備えた巻き紙分離板の弾力の付勢により、上蓋裏に設けた紙押し込み突起部が、巻き紙分離板の掴み代取り込み凹み部から離脱するとき、紙押し込み突起部の前面部と、相対する巻き紙分離板の掴み代取り込み凹み部内壁側とが、一部微小な隙間を保ち移動する蹴り出し部を形成したことを特徴とする。
（Ｄ）  巻き紙分離板および上蓋は、夫々が回動軸を支点に可動するように本体に設け、巻き紙の装着時には各々の取り付け軸を支点に外向きに開口させて、本体内部に手の差し入れが簡便容易にできることを特徴とする。
本発明は以上よりなる巻き紙用ホルダーである。
【発明の効果】
【０００５】以上を説明したように、本発明を使用するときに、ホルダーから引き出された紙を、上蓋を押さえて切り取り、押さえた上蓋から手を離すことのみで、カット部から巻き紙の端口の掴み代分が繰り出されるため、容易な端口の掴み取りができることと、掴み代が出てくることにより、従来のような巻き紙本体に触れて表層部の切り端口を探して剥がす必要がなく、したがってホルダー本体の底面部を覆うことができるため、衛生面においても、きわめて有効である。
【発明を実施するための最良の形態】
【０００６】  以下、本発明の実施の形態を、図１に基づき説明する。
図１に示すように、本巻き紙ホルダー（１）の掴み代が出てくる構造は、巻き紙（２）を、側面開口部から巻き紙受け（３）に装填し、上蓋（４）と巻き紙分離板（５）を、夫々に上蓋取り付け回動軸（９）と、巻き紙分離板取り付け回動軸（６）を支点に外向きに開口させ、開口部から手を差し入れて、装填した巻き紙の巻き紙表層部（１４）端口を掴み取り、開口させている巻き紙分離板の上側を取り出した後、巻き紙分離板は、巻き紙分離板定位置止め（７）に接する位置に、上蓋（４）は巻き紙分離板（５）に備えた上蓋ささえ部（８）に接する位置まで、夫々の元の位置に戻して定置させ、巻き紙の装着を行う。その後、必要分の紙を引き出し、切り取りを行うために上蓋（４）を押し下げたとき、巻き紙分離板（５）の途中に設けた紙端掴み代取り込み凹み部（１３）に、その上を引き出されている巻き紙表層部（１４）を、上蓋（４）の裏に設けた紙押し込み突起部（１０）が押し込み、同時に上蓋の先端に位置するカット部（１１）が、巻き紙表層部（１４）を巻き紙分離板（５）との間に挟んで押圧しており、その状態で、引き出された紙の切り取りを行う。その後、上蓋（４）を押圧した手を離すことにより、押圧されたカット部（１１）と、紙端掴み代取り込み凹み部（１３）に、巻き紙表層部（１４）を押し込んでいる上蓋裏に設けた紙押し込み突起部（１０）が、上蓋で圧迫されている上蓋ささえ部（８）を備えた巻き紙分離板（５）の弾力の付勢により、上昇して離脱し、元の位置に戻る。このとき、上蓋裏に位置する紙押し込み突起部（１０）に設けた蹴り出し（１２）は、その先端が相対する掴み代取り込み凹み部（１３）の内壁側を、一部微小な間隙を保ちながら離脱し、その微小な隙間にある表層部の紙を蹴り出し部（１２）により押し込まれた分量の紙が繰り出されることで、掴み代が確保される。あるいは紙質などにより繰り出しが不具合な場合に於いても、巻き紙の切り端口が常に巻き紙分離板（５）で剥離されており、また紙端掴み代取り込み凹み（１３）部分に取り込まれた巻き紙表層部（１４）の紙は、引き出しの抵抗が軽減されており、かつ剥離された巻き紙表層部（１４）は、上蓋（４）により、上蓋ささえ部（８）との間で押さえられているため、風圧などによる表層部端口の移動などの掴み代への影響を防ぎ、確実に容易な掴み取りの実施ができることを特徴とする。
【図面の簡単な説明】
【０００７】
【図１】本発明の断面図である。
【図２】本発明の一部拡大の断面図である。
【図３】本発明の上蓋と巻き紙分離板を開口させた断面斜視図である。
【符号の説明】
【０００８】（１）本体。（２）巻き紙。（３）巻き紙受け。（４）上蓋。（５）巻き紙分離板。（６）巻き紙分離板取り付け回動軸。（７）巻き紙分離板定位置止め。（８）上蓋ささえ部。（９）上蓋取り付け回動軸。（１０）紙押し込み突起部。（１１）カット部。（１２）蹴り出し部。（１３）紙端掴み代取り込み凹み部。（１４）巻き紙表層部。（１５）側面開口部。
【手続補正３】
【補正対象書類名】図面
【補正対象項目名】全図
【補正方法】変更
【補正の内容】
【図１】
2006263404.tif 000005
【図２】
2006263404.tif 000006
【図３】
2006263404.tif 000007